(57)【要約】【課題】  経年変化による側溝等の改修を容易に行うことのできるコンクリート製側溝用部材を提供する。【解決手段】水路等の主要構成箇所となる底部と側面部を備えた水路部材（側溝体１）と、水路の蓋体を設置するのに充分な高さを備えた上方部材２とからなり、両部材に着脱自在の上下連結構造を付設し、また必要に応じて水路部材（側溝体）及び上方部材と、水路部材と上方部材の間に介在させて、上下両部材と同様の着脱自在の上下連結構造を付設してなる調整部材とで構成し、調整部材の介在によって水路深さの調整を行う。【選択図】  図１
0003115121.tif 000002
【実用新案登録請求の範囲】
【請求項１】
水路等の主要構成箇所となる底部と側面部を備えた水路部材と、水路の蓋体を設置するのに充分な高さを備えた上方部材とからなり、両部材に着脱自在の上下連結構造を付設してなることを特徴とするコンクリート製側溝用部材。
【請求項２】
水路部材が側溝体で、上方部材が蓋体載置用の段差を備え、前記段差部にボルト頭部が埋設できるボルト孔を設け、側溝体の上端面の対応位置にナット部を埋設してなる請求項１記載のコンクリート製側溝用部材。
【請求項３】
水路部材が集水枡体で、上方部材が矩形枠で、煽り開閉自在としたグレーチング蓋を付設し、且つ適宜箇所にボルト頭部が埋設できるボルト孔を設け、集水枡体の上端面の対応位置にナット部を埋設してなる請求項１記載のコンクリート製側溝用部材。
【請求項４】
請求項１乃至３記載の何れかの水路部材及び上方部材と、水路部材と上方部材の間に介在させて、上下両部材と同様の着脱自在の上下連結構造を付設してなる調整部材とで構成してなるコンクリート製側溝用部材。
【考案の詳細な説明】
【技術分野】
【０００１】
本考案は、Ｕ字溝や集水枡等のコンクリート製側溝用部材に関するものである。
【背景技術】
【０００２】
Ｕ字溝と称される上部が開口したコンクリート製の道路側溝（以下「側溝体」という）は、開口部分にコンクリート蓋や、或いはグレーチングと称される金属製蓋が装着されている。また集水枡においても箱型本体の上部にグレーチングタイプの開閉蓋が装着されている。
【０００３】
前記のコンクリート製の側溝部材は、経年変化として蓋体や側溝体上部が破損する。そこで破損した側溝体は補修の必要があり、従前においては、側溝体全部を取り替えたり側溝体内部に更に樹脂製Ｕ字溝を組み込む工法（特許文献１）が知られている。
【０００４】
しかし前記の工法は、側溝機能を維持するために工事期間中側溝のバイパス路が必要であり、バイパス路構築の煩雑さがある。
【０００５】
また特開２００３−１１９８７５号公報（特許文献２）には、従来技術として破損側溝体の上部を除去し、新しい部分を型枠で再構築する手段が開示されており、この型枠使用工事の煩雑さを問題点としてあげ、前記の対策として、側溝蓋を樹脂モルタルで側溝体の受け部に接着し、蓋体の上面及び側溝体の上面を切削し、切削箇所にシート材を貼着し、更に樹脂モルタルで被覆する改修工法が開示されている。
【０００６】
またＵ字溝を複数部材で構築する手段は知られているが、これらの構築手段は、底面部材と側面部材の組み合わせによって水路を形成しているものである（特許文献３，４）。
【０００７】
【特許文献１】実開平３−２０８５号公報。
【特許文献２】特開２００３−１１９８７５号公報。
【特許文献３】実開昭６３−１６５３８１号公報。
【特許文献４】特開２００３−１９３５４６号公報。
【考案の開示】
【考案が解決しようとする課題】
【０００８】
前記した従前の改修工法のうち、側溝体等の上部のみを改修する工法は、側溝機能を保持したままの改修となり、バイパス路の構築を必要としない利点を有しているが、例えば型枠を使用する工事では、型枠の着脱工事が面倒であるし、樹脂モルタルを使用する工法では、車両の走行によって表面の樹脂モルタルが剥離すると、再度の補修が必要であって、耐久性の点で課題を有する。
【０００９】
また従前の側溝部材を組み合わせて水路を形成する手段においても、側面部材の上部のみの改修は、前記した改修工法を採用することになり、何らの問題解決とはならない。
【００１０】
そこで本考案は、改修が容易に行うことのできる水路を構築できる新規なコンクリート製側溝用部材を提案したものである。
【課題を解決するための手段】
【００１１】
本考案に係るコンクリート製側溝用部材は、水路等の主要構成箇所となる底部と側面部を備えた水路部材と、水路の蓋体を設置するのに充分な高さを備えた上方部材とからなり、両部材に着脱自在の上下連結構造を付設してなることを特徴とするものである。
【００１２】
而して水路の構築は、水路部材を設置した後、水路部材の上部に上方部材を連結し、必要とする適宜な蓋体を装着することで施工できるものである。
【００１３】
また特に前記の水路部材及び上方部材と、水路部材と上方部材の間に介在させて、上下両部材と同様の着脱自在の上下連結構造を付設してなる調整部材とで構成した場合には、調整部材の介在によって水路深さの調整を容易に行うことが出来る。
【考案の効果】
【００１４】
本考案の構成は上記の通りであるから、水路構築後の経年変化によって水路上部が破損した場合には、上方部材のみを取り替えることで、簡単に補修を行えるものである。
【００１５】
また介在部材を採用することで、構築する水路深さを調整できるので、高さが相違したり、傾斜対応の形状とする等の種々介在部材を採用することで、所定規格の水路部材と上方部材の汎用性が高まるものである。
【考案を実施するための最良の形態】
【００１６】
＜第一実施形態＞  図１〜図５は、本考案の第一実施形態を示したもので、この第一実施形態は、水路部材として側溝体１を採用し、側溝（水路）を構築する例である。
【００１７】
水路の構築に使用する部材は、側溝体１と上方部材２と、連結ボルト３と蓋体４である。側溝体１は、上方部材と組み合わせた際に、通常のＵ字溝部材と同様の形状となるように、底面部１１と側面部１２を備えたもので、単独で充分に水路として機能する形状としたものである。
【００１８】
上方部材２は、通常のＵ字溝部材の段差部２１の下方位置で切断した長尺形状で、段差部２１の適宜箇所に、段差部２１に連結ボルト３の頭部が埋まり、且つ係止されるボルト孔２２を設けてなる。
【００１９】
また側溝体１の上端面１３における前記ボルト孔２２と対応する位置に、連結ボルト３が螺合するナット部１４を埋設してなる。
【００２０】
而して前記側溝体１と上方部材２を使用して水路（側溝）を構築するもので、側溝体１の上方に上方部材２を、連結ボルト３を使用して連結すると、通常の側溝形態となるので、従前の側溝構築と同様の工法で側溝構築が可能である。
【００２１】
更に経年変化によって側溝上部が破損した場合には、蓋体４を外し、連結ボルト３の螺合解除で、上方部材を取外し（図３参照）、新規な上方部材２及び蓋体４を改めて装着することで、側溝改修が容易に行うことができるものである。
【００２２】
また図４，５に例示するように、側溝体１の上端に載置し、上方に連続する形態となる長尺状で、且つ所定位置にボルト孔５１を設けた調整部材５を採用し、側溝体１と上方部材２との間に介在させて側溝を構築することもできる（図４）。
【００２３】
特に図５に例示するように、薄型の調整部材５ａ、厚型の調整部材５ｂ、先後の厚さが相違する傾斜型の調整部材５ｃを、選択的に使用したり組み合わせ使用することで、深さの異なる側溝の構築が容易に行うことができるし、傾斜側溝も容易に構築することができる。
【００２４】
＜第二実施形態＞  図６，７は、本考案の第二実施形態を示したもので、この第二実施形態は、水路部材として集水枡体６を採用し、集水枡（水路の集水箇所）を構築する例である。
【００２５】
集水枡の構築に使用する部材は、集水枡体６と上方部材７と、連結ボルト３と蓋体８である。集水枡体６は、通常の集水枡の下方部分と同一形状としたもので、底面部６１と側面部６２を備えた箱型で、側面部６２の下方には、集水管９等との連結孔６３を設け、上端面には、前記第一実施形態と同様の上方部材７との連結に使用するナット部６４を埋設してなる。
【００２６】
上方部材７は、矩形枠型で内面側に蓋体装着部７１を設けると共に、適宜箇所に連結ボルト３の頭部が埋まり、且つ係止されるボルト孔７２を設けてなる。
【００２７】
而して集水枡体６を単独で設置し、しかる後蓋体８を装着した上方部材７を連結しても良いし、或いは集水枡６に上方部材７を連結した後に設置するものであり、通常の集水枡と同様に使用されるものである。
【００２８】
更に経年変化によって上部が破損した場合には、上方部材７の取替えのみで改修がなされるものである。
【００２９】
尚蓋体８の装着構造は任意であるが、特に煽り開閉構造の場合で、上方部材が正方形であると、開閉方向を任意に定めることができる利点がある。
【図面の簡単な説明】
【００３０】
【図１】本考案の第一実施形態の各部材の斜視図。
【図２】同施工状態の説明図。
【図３】同改修時の説明図。
【図４】同調整部材を使用した施工の説明図。
【図５】同調整部材の説明図。
【図６】本考案の第二実施形態の各部材の斜視図。
【図７】同施工状態の説明図。
【符号の説明】
【００３１】
１          側溝体（水路部材）
１１        底面部
１２        側面部
１３        上端面
１４        ナット部
２          上方部材
２１        段差部
２２        ボルト孔
３          連結ボルト
４          蓋体
５，５ａ，５ｂ，５ｃ    調整部材
５１        ボルト孔
６          集水枡体（水路部材）
６１        底面部
６２        側面部
６３        連結孔
６４        ナット部
７          上方部材
７１        蓋体装着部
７２        ボルト孔
８          蓋体
９          集水管
【図１】
0003115121.tif 000003
【図２】
0003115121.tif 000004
【図３】
0003115121.tif 000005
【図４】
0003115121.tif 000006
【図５】
0003115121.tif 000007
【図６】
0003115121.tif 000008
【図７】
0003115121.tif 000009